(57)【要約】【課題】足指治療する足矯正部材を簡便に使用できる足矯正部材取付用バンドを提供する。【解決手段】足矯正部材２０は患者ごとに製造されており、足矯正部材２０の底面には被取付部２１が貼り付けられている。主バンド部１１の両端部１２、１４には面ファスナ１３、１５が取り付けられ、面ファスナ１３、１５同士は相互に係止可能とされている。主バンド部１１の中央部の表側には取付部１６が貼り付けられており、足矯正部材２０の底面の被取付部２１と係止可能とされている。  使用に際しては、主バンド部１１の中央を足矯正部材２０の裏側に配置し、取付部１６を足矯正部材２０の被取付部２１に係止する。足甲への締め付け具合を調整しながら、主バンド部１１を面ファスナ１３、１５により係止して、主バンド部１１をアーチ状に組み立てる。【選択図】図１
2018126439.tif 000002
【特許請求の範囲】
【請求項１】
足裏形状をした足矯正部材に取り付けて使用し、主バンド部を有する足矯正部材取付用バンドであって、
前記主バンド部を取付部を介して前記足矯正部材の裏側に着脱自在に取り付け、前記主バンド部を足甲に固定するように係止可能としたことを特徴とする足矯正部材取付用バンド。
【請求項２】
前記主バンド部は帯状体であり、前記主バンド部をその長手方向と前記足矯正部材の長手方向とが直交するように前記足矯正部材の裏側に着脱自在に取り付けたことを特徴とする請求項１に記載の足矯正部材取付用バンド。
【請求項３】
前記取付部は前記主バンド部の表面の略中央に設けられていることを特徴とする請求項２に記載の足矯正部材取付用バンド。
【請求項４】
前記主バンド部の一方の端部の表面に第１の面ファスナが設けられており、該第１の面ファスナは前記主バンド部の他方の端部の裏面に設けた第２の面ファスナと係止可能としたことを特徴とする請求項３に記載の足矯正部材取付用バンド。
【請求項５】
前記主バンド部の一方の端部の裏面には、第１の面ファスナが取り付けられており、他方の端部には、挿入口を有するフック部が取り付けられており、該フック部を取り付けた前記他方の端部寄りの前記主バンド部の表面に前記取付部が配置されており、該取付部と前記第１の面ファスナの間の前記主バンド部の裏面に、前記第１のファスナと係止可能な第２の面ファスナが配置されていることを特徴とする請求項２に記載の足矯正部材取付用バンド。
【請求項６】
前記足矯正部材の底面とほぼ同形の足裏部の爪先側に、前記主バンド部が前記足裏部の長手方向に対し十字状に直交するように延在されていることを特徴とする請求項２〜５の何れか１項に記載の足矯正部材取付用バンド。
【請求項７】
前記足裏部の後方に、前記足裏部から爪先側に斜め状に延在され足首を固定する一対の足首バンド部が設けられていることを特徴とする請求項６に記載の足矯正部材取付用バンド。
【請求項８】
前記足裏部の後方に、踵後方側に斜め状に延在され踵を固定する一対の踵バンド部が設けられていることを特徴とする請求項６又は請求項７に記載の足矯正部材取付用バンド。
【請求項９】
前記主バンド部は可撓性、伸縮性を有する樹脂材から成ることを特徴とする請求項２〜８の何れか１項に記載の足矯正部材取付用バンド。
【請求項１０】
前記主バンド部は伸縮性を有する樹脂材から成り、切れ目のない円環状とし、前記取付部は前記主バンド部の内表面に設けたことを特徴とする請求項２に記載の足矯正部材取付用バンド。
【請求項１１】
前記主バンド部は先端が窄まった袋状体であり、前記取付部は前記主バンド部の内表面に設けたことを特徴とする請求項１に記載の足矯正部材取付用バンド。
【請求項１２】
前記足矯正部材に取り付ける前記取付部は、面ファスナ、粘着剤又は接着剤により取り付け可能としたことを特徴とする請求項１〜１１の何れか１項に記載の足矯正部材取付用バンド。
【発明の詳細な説明】
【技術分野】
【０００１】
本発明は、足矯正部材を主に室内で使用するための足矯正部材取付用バンドに関するものである。
【背景技術】
【０００２】
外反母趾等の足指の骨格が変形した状態で歩行すると、足に非常な痛みを伴う場合がある。そこで、この足の痛みを和らげたり、足の骨格の変形を治療するために、例えば特許文献１、２に開示された治療用インソールを装着した靴を着用することが知られている。
【０００３】
これらの特許文献１、２に開示の治療用インソールは、患者毎に足の大きさや足指の形状が異なるので、患者の足裏にフィットする治療用インソールを個々に個別注文によって作成することが多い。
【先行技術文献】
【特許文献】
【０００４】
【特許文献１】特開２００６−５４９号公報
【特許文献２】特開２０１５−９００５号公報
【発明の概要】
【発明が解決しようとする課題】
【０００５】
靴を履く場合は、上述の治療用インソールを靴内に入れて利用できるが、室内では靴を脱ぐために利用ができない。また、靴を履かないで室内にいると、治療できない上に、歩行に痛みを伴うという問題もある。
【０００６】
本発明の目的は、上述の課題を解消し、治療用インソールと同等の役割を果す足矯正部材を着脱可能にした足矯正部材取付用バンドを提供することにある。
【課題を解決するための手段】
【０００７】
上記目的を達成するための本発明に係る足矯正部材取付用バンドは、足裏形状をした足矯正部材に取り付けて使用し、帯状体のバンド部を有する足矯正部材取付用バンドであって、前記足矯正部材の裏側に前記バンド部の長手方向と前記足矯正部材の長手方向とが直交するように取り付け、前記バンド部の端部同士を足甲に固定するように係止可能としたことを特徴とする。
【発明の効果】
【０００８】
本発明に係る足矯正部材取付用バンドによれば、足矯正部材の足裏に装着することで、足矯正部材を簡便に室内でスリッパのように使用することができ、足の骨格の変形を常時治療をすると共に、痛みを伴うことなく室内を自在に歩行することが可能となる。
【図面の簡単な説明】
【０００９】
【図１】実施例１の足矯正部材取付用バンドと足矯正部材の斜視図である。
【図２】足矯正部材に足矯正部材取付用バンドを取り付けた状態の斜視図である。
【図３】使用状態の斜視図である。
【図４】実施例２の足矯正部材取付用バンドの斜視図である。
【図５】使用状態の斜視図である。
【図６】実施例３の足矯正部材取付用バンドの斜視図である。
【図７】足に装着した状態の側面図である。
【発明を実施するための形態】
【００１０】
本発明を図示の実施例に基づいて詳細に説明する。
【実施例１】
【００１１】
図１は実施例１の足矯正部材取付用バンド１０と足矯正部材２０の斜視図である。足矯正部材取付用バンド１０は帯状の主バンド部１１を有し、この主バンド部１１は布材や合成樹脂材等から構成される。
【００１２】
特にゴムのように可撓性を有する樹脂材から成ることが好適であり、更に伸縮性を有することが好ましく、幅４ｃｍ程度の帯状体をしている。また、この主バンド部１１は全ゆるサイズの足矯正部材２０に対して、使用することが可能である。
【００１３】
主バンド部１１の一方の端部１２は二股状とされており、二股状の端部１２の表面には面ファスナ１３が取り付けられている。そして、主バンド部１１の他方の端部１４の裏面には２つの面ファスナ１３と対応する大きな面ファスナ１５が取り付けられている。なお、端部１４を端部１２と同様に二股状とし、二股状の端部１４の裏面のそれぞれに面ファスナ１５を設けるようにしてもよい。
【００１４】
主バンド部１１の略中央部の表面には、例えば面ファスナから成る取付部１６が設けられており、取付部１６から端部１２までの長さは、取付部１６から端部１４までの長さよりも若干長くなっている。
【００１５】
端部１２の表面と端部１４の裏面を重ね合わせることにより、面ファスナ１３、１５同士が相互に係止可能とされている。面ファスナ１５の長手方向の長さは、面ファスナ１３の長手方向の長さよりも長くされており、後述する足甲に主バンド部１１を固定する際に、主バンド部１１の長さを自在に調節可能とされている。
【００１６】
また、面ファスナ１３は二股状のため、それぞれの面ファスナ１３が面ファスナ１５に対して、任意の位置に係止可能であるので、個々の患者の足甲の形状に合わせた最適な形状にして係止することが可能である。
【００１７】
この足矯正部材取付用バンド１０の底面には、床面との滑りを防止するための滑り止めシート材を取り付けてもよいし、床面を傷付けないフェルト等のシート材を取り付けるようにしてもよい。また、シート材には耐摩耗性、耐水性を有する材料を適宜に採用するようにしてもよい。
【００１８】
足矯正部材２０は足裏形状とされた緩衝性の高い材料から成り、外反母趾等の足指形状に対して治療効果の高い形状になるように、個々の患者の患部に適応した隆起部や凹部を適宜に配置した立体形状とされている。なお、この足矯正部材２０は、靴内に挿入して矯正用インソールとして利用することもできる。
【００１９】
この足矯正部材２０の材料としては、例えばラバー、ポリウレタン、ＥＶＡ、ポリエチレン、軟質塩化ビニル、コルク材等から成る適宜の材料を用いることができる。なお、外反母趾等の足指の骨格の変形は患者により形状が異なることから、足矯正部材２０は患者の個別注文により専門家により製造されている。
【００２０】
また、足矯正部材２０の爪先側前方の底面であって、対応する主バンド部１１の取付部１６が位置する個所には、例えば面ファスナから成る被取付部２１が設けられている。更に、足矯正部材２０の底面には、上述の主バンド部１１の裏面と同様に、床面との滑りを防止するための滑り止めシート材を貼付けてもよいし、床面を傷付けないフェルト等のシート材を貼付けるようにしてもよい。
【００２１】
この足矯正部材取付用バンド１０を使用するには、図２に示すように足矯正部材２０の裏側に、主バンド部１１の長手方向と足矯正部材２０の長手方向とが直交するように足矯正部材取付用バンド１０を取り付けて使用する。つまり、主バンド部１１の略中央を足矯正部材２０の裏側に配置し、主バンド部１１の表面の取付部１６を足矯正部材２０の裏側の被取付部２１に着脱自在に係止する。
【００２２】
なお、図２では左足用の足矯正部材２０に足矯正部材取付用バンド１０を取り付けているが、右足用の足矯正部材２０に取り付ける場合には、左右を反転した状態で、足矯正部材取付用バンド１０を取り付けることになる。
【００２３】
続いて、足矯正部材２０に片足を載置した状態で、主バンド部１１の端部１２の裏面と端部１４の表面とを重ね合わせるようにして、面ファスナ１３、１５により主バンド部１１を係止する。主バンド部１１を足甲の形状に合わせて、図３に示すように主バンド部１１をアーチ状に組み立て、面ファスナ１５に面ファスナ１３の位置を調整しながら係止させる。このようにすることで、矯正すべき足の位置が足矯正部材２０に対してずれることがなくなる。
【００２４】
面ファスナ１３、１５の係止を調整した後は、足矯正部材取付用バンド１０を取り付けた足矯正部材２０をスリッパのように履いて室内を歩行することが可能となり、室内で歩行しながら外反母趾の変形を矯正することができる。
【００２５】
主バンド部１１はスリッパのように、爪先全体を覆うように、足矯正部材２０に取り付けてもよいが、実施例１の主バンド部１１のように長さを調整できるようにして、患者の足甲に足矯正部材２０を固定することが好適である。或いは、主バンド部１１の端部１２、１４同士に複数の孔部を形成し、これらの孔部に紐体を通して縛ることにより長さを調整することも可能である。
【実施例２】
【００２６】
図４は実施例２の足矯正部材取付用バンド１０’の斜視図であり、主バンド部１１の一方の端部１２の裏面には面ファスナ１３が取り付けられており、主バンド部１１の他方の端部１４には、硬質の合成樹脂材から成り、ロ字状の挿入口を有するフック部１７が取り付けられている。
【００２７】
このフック部１７を取り付けた端部１４寄りの主バンド部１１の表面に、取付部１６が配置されており、この取付部１６と面ファスナ１３の間の主バンド部１１の裏面に、面ファスナ１３と係止可能な面ファスナ１５が配置されている。
【００２８】
この足矯正部材取付用バンド１０’を使用するには、先ず主バンド部１１の取付部１６を足矯正部材２０の裏側の被取付部２１に係止する。そして、図５に示すように、フック部１７の挿入口に端部１２の先端を挿入し、所定の個所で主バンド部１１の端部１２を上方に折り返す。そして、足甲の大きさに合わせて、主バンド部１１の折り返し長さを調整し対向する面ファスナ１３と面ファスナ１５を貼り合わせて係止する。
【００２９】
このようにして、実施例２の足矯正部材取付用バンド１０’も実施例１の足矯正部材取付用バンド１０と同様に、足矯正部材２０に係止した後に足に装着することができる。
【実施例３】
【００３０】
図６は実施例３の足矯正部材取付用バンド１０”の斜視図であり、主バンド部１１は実施例１のような面ファスナ１３、１５を有する端部１２、１４を備えている。
【００３１】
足矯正部材取付用バンド１０”の足裏部１８は、足矯正部材２０の底面とほぼ同形とされ、足裏部１８から主バンド部１１が足裏部１８の長手方向と直交するように十字状に延在されている。足矯正部材取付用バンド１０”は足矯正部材２０の大きさに応じて、複数のサイズの足裏部１８を有する足矯正部材取付用バンド１０”とされている。また、左足用と右足用とで形状が左右対称となる足矯正部材取付用バンド１０”を適宜に選択して使用することが好ましい。
【００３２】
足裏部１８の表面には足裏部１８の長手方向に沿って、例えば面ファスナから成る取付部１６’が足裏部１８の全長に渡って貼り付けられている。この足裏部１８の底面には、滑り止めシート材、フェルト等のシート材、耐摩耗性、耐水性を有するシート材等を適宜に採用することができる。
【００３３】
また、実施例３で使用する図示を省略する足矯正部材２０の底面には、取付部１６’と大きさが略一致する面ファスナから成る被取付部が貼り付けられている。
【００３４】
また、足裏部１８の踵側には、足裏部１８から足首前方斜め状に延在する一対の足首バンド部３０と、これらの足首バンド部３０の後方に配置し、踵後方側に斜め状に延在する一対の踵バンド部３１が設けられている。なお、足首バンド部３０及び踵バンド部３１及び主バンド部１１は、実施例２の足矯正部材取付用バンド１０’のようにフック部を設け、このフック部でバンド部を折り返す構造を採用しても支障はない。
【００３５】
足首バンド部３０の一方の端部３２の表面には、面ファスナ３３が取り付けられ、足首バンド部３０の他方の端部３４の裏面には、面ファスナ３５が取り付けられている。同様に、一方の踵バンド部３１の端部３６の表面には、面ファスナ３７が取り付けられ、他方の踵バンド部３１の端部３８の裏面には、面ファスナ３９が取り付けられている。また、端部３２の表面及び端部３６の表面と、端部３４の裏面及び端部３８の裏面とを重ね合わせることにより、面ファスナ３３、面ファスナ３５同士と、面ファスナ３７、面ファスナ３９同士とが相互に係止可能とされている。
【００３６】
一方の足首バンド部３０及び一方の踵バンド部３１の長さは、他方の足首バンド部３０及び他方の踵バンド部３１の長さよりも若干長い構造とされている。
【００３７】
図７は足矯正部材取付用バンド１０”を足矯正部材２０に係止した後に、足に装着した状態の側面図である。足矯正部材取付用バンド１０”の足裏部１８を足矯正部材２０の底面に合わせて、足裏部１８の取付部１６’と同形状の足矯正部材２０の被取付部とを係止して一体とし、更に足甲に対して主バンド部１１のアーチの長さを面ファスナ１３、１５の係止により調整し、足首前方に対して足首バンド部３０のアーチの長さを面ファスナ３３、３５の係止により調整し、更に踵側に対して踵バンド部３１のアーチの長さを面ファスナ３７、３９の係止により調整することができる。
【００３８】
足矯正部材２０の底面は、足矯正部材取付用バンド１０”の足裏部１８により覆われるので、足矯正部材２０の底面が直接床に接することがなくなり、足矯正部材２０の磨耗等による損傷が少なくなる。
【００３９】
また、足首バンド部３０及び踵バンド部３１を設けることで、足首及び踵に対しても固定することが可能となり、患部の位置が足矯正部材２０からずれることがなくなる。なお、足首バンド部３０及び踵バンド部３１の何れか一方及び両方を省略することも可能である。
【００４０】
また、足矯正部材取付用バンド１０、１０’、１０”の主バンド部１１は、何れも面ファスナにより位置を調整しながらアーチ状に係止しているが、主バンド部１１を伸縮自在のゴム等の樹脂材を採用して、切れ目のない円環状の帯状体にすることも可能である。
【００４１】
このような円環状の主バンド部１１の下側の内表面に設けた取付部１６を、足矯正部材２０の裏側の被取付部２１に貼り付け、主バンド部１１に足甲を挿入することで足に固定することができる。
【００４２】
また、主バンド部１１を先端が窄まった袋状体とすることも可能であり、この袋状体の下側の内表面に設けた取付部を、矯正部材２０の裏側の被取付部２１に貼り付けて使用することもできる。更にこの袋状体の主バンド部１１の開口部に足裏部１８を連結する形状にしてもよい。
【００４３】
実施例１〜３では、足矯正部材２０が足矯正部材取付用バンド１０、１０’、１０”からずれないように、取付部１６、１６’及び被取付部２１を用いて足矯正部材２０を足矯正部材取付用バンド１０、１０’、１０”に着脱自在に固定している。これらの固定に対して、例えば足矯正部材取付用バンド１０、１０’、１０”に粘着剤を塗布し、その上から剥離シールを貼っておき、足矯正部材取付用バンド１０、１０’、１０”を足矯正部材２０に取り付ける際に剥離シールを剥して、粘着剤により足矯正部材取付用バンド１０、１０’、１０”を足矯正部材２０に貼り付けるようにすることもできる。また、取付部１６、１６’及び被取付部２１の代りに接着剤を用いて、足矯正部材取付用バンド１０、１０’、１０”と足矯正部材２０とを接着することもできる。
【００４４】
このように足矯正部材取付用バンド１０、１０’、１０”を足矯正部材２０の裏側足裏に装着することで、足矯正部材２０を簡便に室内でスリッパのように使用することができ、足の骨格の変形を常時治療をすると共に、痛みを伴うことなく室内を自在に歩行することが可能となる。
【符号の説明】
【００４５】
１０、１０’、１０”  足矯正部材取付用バンド
１１、１１’  主バンド部
１２、１４、３２、３４、３６、３８  端部
１３、１５、３３、３５、３７、３９  面ファスナ
１６、１６’  取付部
１７  フック部
１８  足裏部
２０  足矯正部材
２１  被取付部
３０  足首バンド部
３１  踵バンド部
【図１】
2018126439.tif 000003
【図２】
2018126439.tif 000004
【図３】
2018126439.tif 000005
【図４】
2018126439.tif 000006
【図５】
2018126439.tif 000007
【図６】
2018126439.tif 000008
【図７】
2018126439.tif 000009